(57)【要約】      （修正有）【課題】施設等の来訪者に対して利用意欲を喚起させることが可能な、椅子型マッサージ機及びその装飾品の配置構造を提供する。【解決手段】椅子型マッサージ機と、装飾品と、を備え、装飾品は、椅子型マッサージ機の周辺に設置されていることを特徴とする、マッサージ機セットの配置構造である。装飾品は、広告表示手段、鑑賞用植物、及び又は敷物を有していることが好ましい。【選択図】図１
0003218592.tif 000002
【実用新案登録請求の範囲】
【請求項１】
椅子型マッサージ機と、装飾品と、を備え、
前記装飾品は、前記椅子型マッサージ機の周辺に設置されていることを特徴とする、マッサージ機セットの配置構造。
【請求項２】
前記装飾品は、広告表示手段を有しており、
前記広告表示手段は、前記椅子型マッサージ機の周辺に配置されていることを特徴とする、請求項１に記載のマッサージ機セットの配置構造。
【請求項３】
前記装飾品は、観賞用植物を有しており、
前記観賞用植物は、前記椅子型マッサージ機の周辺に配置されていることを特徴とする、請求項１又は２に記載のマッサージ機セットの配置構造。
【請求項４】
前記装飾品は、敷物を有しており、
前記敷物は、前記椅子型マッサージ機の下に敷かれていることを特徴とする、請求項１〜３の何れかに記載のマッサージ機セットの配置構造。
【請求項５】
前記椅子型マッサージ機は、２以上設置されていることを特徴とする、請求項１〜４の何れかに記載のマッサージ機セットの配置構造。
【請求項６】
前記複数の椅子型マッサージ機は、同一の方向を向いて設置されていることを特徴とする、請求項５に記載のマッサージ機セットの配置構造。
【考案の詳細な説明】
【技術分野】
【０００１】
本考案は、椅子型マッサージ機セットの配置構造に関する。
【背景技術】
【０００２】
近年、椅子型マッサージ機の設置場所として、銭湯や温泉施設のみならず、ホテルや旅館等の宿泊施設、インターネットカフェやカラオケボックスなどの商業施設、パチンコ店やスポーツクラブ等の娯楽施設に至るまで、その範囲が広く拡大している。
【０００３】
例えば、特許文献１には、上述した椅子型マッサージ機として、硬貨のみならず、使用済みのプリペイドカードやパチンコ球等を投入することで、動作させることが可能な椅子型マッサージ機が記載されている。
【先行技術文献】
【特許文献】
【０００４】
【特許文献１】実用新案登録第３０３８５５０号公報
【考案の概要】
【考案が解決しようとする課題】
【０００５】
ところで、一般的に娯楽施設や商業施設等に設置された椅子型マッサージ機は、椅子型マッサージ機のみが壁際などに設置されている。また、多くの施設では、来訪者の動向を見て、椅子型マッサージ機を後付けしているため、椅子型マッサージ機と施設との雰囲気が、合っていない場合が多い。
【０００６】
施設の来訪者は、雰囲気になじんでいない、いわば違和感を放っている椅子型マッサージ機に対し、無意識ではあるものの、警戒心を抱いたり、緊張したりしてしまう。そのため、施設の来訪者は、椅子型マッサージ機の使用に抵抗があり、結果的に椅子型マッサージ機がなかなか利用されない、という問題があった。
【０００７】
本考案は上記のような実状に鑑みてなされたものであり、施設の来訪者に対して利用意欲を喚起させることが可能な、椅子型マッサージ機及びその装飾品の配置構造を提供することを課題とする。
【課題を解決するための手段】
【０００８】
上記課題を解決するために、本考案は、椅子型マッサージ機と、装飾品と、を備え、
前記装飾品は、前記椅子型マッサージ機の周辺に設置されていることを特徴とする。
【０００９】
このような構成とすることで、施設にマッサージ機のみを設置した時よりも、マッサージ機が施設の雰囲気に馴染むようになる。そのため、来訪者のマッサージ機に対する警戒心や緊張感を和らげることができる。
【００１０】
本考案の好ましい形態では、前記装飾品は、広告表示手段を有しており、
前記広告表示手段は、前記椅子型マッサージ機の周囲に配置されていることを特徴とする。
このような構造とすることで、より一層椅子型マッサージ機を周囲の環境に溶け込ませることができる。さらに、施設の来訪者の注意を引き、椅子型マッサージ機の利用を促すことが可能である。
【００１１】
本考案の好ましい形態では、前記装飾品は、観賞用植物を有しており、
前記観賞用植物は、前記椅子型マッサージ機の周囲に配置されていることを特徴とする。
このように、リラックス効果があるとされる植物を椅子型マッサージ機の周囲に配置することで、施設の来訪者の椅子型マッサージ機に対する緊張感や警戒心を和らげることができる。
【００１２】
前記装飾品は、敷物を有しており、
前記敷物は、前記椅子型マッサージ機の下に敷かれていることを特徴とする。
このような構造とすることで、施設の来訪者は、敷物（例えばカーペットなど）が敷かれているエリアは、椅子型マッサージ機のために用意された空間だと認識できる。そのため、来訪者が感じる椅子型マッサージ機の存在への違和感は、軽減される。
【００１３】
本考案の好ましい形態では、前記椅子型マッサージ機は、２以上設置されていることを特徴とする。
このような構造とすることで、複数の来訪者が同時に椅子型マッサージ機を利用できる。
【００１４】
前記複数の椅子型マッサージ機は、同一の方向を向いて設置されていることを特徴とする。
このような構造とすることで、椅子型マッサージ機を利用中に、他の椅子型マッサージ機の利用者と視線が交わることを防ぐ。他の椅子型マッサージ機利用者の視線を気にする必要がないため、落ち着いて椅子型マッサージ機を利用することができる。
【考案の効果】
【００１５】
本考案によって、施設の来訪者に対して利用意欲を喚起させることが可能な、椅子型マッサージ機及びその装飾品の配置構造を提供することを提供することができる。
【図面の簡単な説明】
【００１６】
【図１】本考案の、実施形態１に係る正面側の斜視図。
【図２】本考案の、実施形態１に係る背面側の斜視図。
【図３】本考案の、実施形態２に係る斜視図。
【考案を実施するための形態】
【００１７】
以下、図面を用いて、本考案の実施形態を説明する。なお、本実施形態は一例であり、実際の実施形態は、実用新案登録出願の請求の範囲内で、自由に変更して良い。
【００１８】
＜実施形態１＞
実施形態１は、大型ショッピングセンターの休憩スペースなどに設置するマッサージ機セット１の配置構造である。図１及び２に示されるように、本実施形態のマッサージ機セット１は、３台の椅子型マッサージ機１１と、複数の装飾品１２を備えており、装飾品１２は、複数の観葉植物１２１（大型観葉植物１２１ａ・小型観葉植物１２１ｂ）と、２台の立て看板１２３と、カーペット１２４と、を有している。
【００１９】
本実施形態のマッサージ機セット１は、３台の同じ種類の椅子型マッサージ機１１を備えられている。３台の椅子型マッサージ機１１は、同一の方向を向くように設置されている。このようにすることで、椅子型マッサージ機１１の利用者同士の視線が交わらない。例えば、向かい合いなど、利用者同士の視線が交わってしまうような配置にしてしまうと、利用者は落ち着けなくなってしまう。落ち着いて、安心して椅子型マッサージ機１１を利用してもらうには、利用者同士の視線が交わらないようにすることが重要である。
【００２０】
他人の視線が交わらないことを狙っていても、壁に向かって設置するのは避けた方が良い。壁には圧迫感や閉塞感があり、それらは緊張につながる。利用者にリラックスしてもらうためには、ある程度の開放感は必要となる。また、通行人の視線は通り過ぎる一瞬であり、一方でマッサージ機１１の利用者は一定時間、その場にとどまるものである。そのため、本実施形態では、マッサージ機１１の利用者同士の視線が交わらないことを優先した。
【００２１】
もし、通行人の視線に対しても対策をしたい場合には、簾など、圧迫感や閉塞感の無い素材を、マッサージ機１１の前方の少し離れた位置に設置して、視線を遮ると良い。
【００２２】
本実施形態の隣り合うマッサージ機１１とマッサージ機１１との間の距離Ｄは、およそ５０ｃｍである。この距離は、パーソナルスペースに配慮した距離である。人にはパーソナルスペースというものがあり、その領域内には他人を入れたくない、という心理が働く。パーソナルスペースの大きさは個人や性別、方向によって違いはあるものの、左右方向に関しては、平均で４５〜５０ｃｍ以内が、他人を入れたくない範囲であるとされている。
【００２３】
そのため、いくら利用者を増やしたいからと言って、設置エリア内に、間隔なくマッサージ機１１を設置しても、設置した台数に比例して利用数が伸びるということはない。マッサージ機１１同士が密着するよう設置した場合、一台間隔で利用されることは容易に想定できる。
【００２４】
このことから、複数台の椅子型マッサージ機を設置する場合には、左右方向のパーソナルスペースを考慮した方が、最大の利用を図ることができる。平均を考えると、マッサージ機１１同士の左右方向の距離Ｄは、４５ｃｍよりも大きい方が良く、可能であれば５０ｃｍは離していた方が、より多くの人のパーソナルスペースに配慮できる。これらの距離よりも狭くならないように、マッサージ機１１とマッサージ機１１との間の距離Ｄを決定する。
【００２５】
椅子型マッサージ機は、どのような種類のものでも良いが、設置される場所や、その場所の来訪者の需要に合うと考える種類の椅子型マッサージ機を選ぶと良い。
本実施形態においてはショッピングモールに設置するためのものであり、来訪者は歩き疲れてしまっていることが考えられる。そのため、足や腰に効果のある椅子型マッサージ機を選ぶと良い。
【００２６】
また、本実施形態では、３台の椅子型マッサージ機は全て同じ種類のものとしたが、それぞれ異なる種類のマッサージ機を設置してもよい。異なるマッサージ機を用いることで、来訪者は様々なマッサージ機を体験できる。
【００２７】
本実施形態では、大型観葉植物１２１ａと、４つの小型観葉植物１２１ｂと、が椅子型マッサージ機の周辺に配置されている。一般的に、観葉植物は、見ている者をリラックスさせる効果がある。
【００２８】
大型観葉植物１２１ａは、主に椅子型マッサージ機を利用する前の、施設等の来訪者の注意を引くためのものである。「この場所に、休憩したり、リラックスしたりできる設備がある」ということを主張できる。
【００２９】
また、この大型観葉植物１２１ａは、マッサージ機１１から少し離れた場所に配置する。マッサージ機１１のすぐ近くに設置してしまうと、マッサージ機１１の利用者は、大型観葉植物１２１ａから威圧感を感じて、リラックスできなくなってしまう。このため、大型観葉植物１２１ａは、あくまでも来訪者に対する宣伝のために使用する。
【００３０】
小型観葉植物１２１ｂは、マッサージ機を利用中の来訪者がリラックスできるように設置している。小型である理由は、前述した通り、大きいと圧迫感や威圧感があり、それらは緊張感に繋がり、利用者がリラックスできなくなってしまうからである。そのため、小型観葉植物１２１ｂは、利用者がマッサージ機１１に座った時に、見下ろせるくらいの背丈の植物が良い。小さいものは愛らしさもあるため、より一層リラックス効果を期待できる。
【００３１】
また、本実施形態では、小型観葉植物１２１ｂは、マッサージ機１１の前方に設置されている。これは、利用者がマッサージ機１１に座った時に、小型観葉植物１２１ｂが利用者の視界に入るようにするためである。さらに、小型観葉植物１２１ｂは、マッサージ機１１の横にも設置されている。こうすることで、利用者が利用中の視界には入らないものの、小型観葉植物１２１ｂの気配を、より近くに感じることができるようになる。
【００３２】
次に、広告表示手段について説明する。マッサージ機１１の使用を促す表示が全くないと、施設等の来訪者は、マッサージ機１１を使っても良いかどうかわからない、という躊躇いの感情が生じるのが通常である。この感情はあくまでも無意識のものであり、設置してあるのだから使っても良いものであることは多くの来訪者は重々理解している。理解しているにもかかわらず、躊躇いや抵抗感、警戒心といった無意識の感情によって、実際の利用には至りにくい、という心理的な問題である。
【００３３】
そこで、その心理的な問題を解決するために、広告表示手段として、立て看板１２３を用意する。立て看板１２３に表示する内容は、マッサージ機１１の利用を促すような、肯定的な内容であればどのようなものでも良い。「施設管理者は、来訪者に、是非このマッサージ機を利用してほしいと考えている」というメッセージを、来訪者に訴えることが重要である。
【００３４】
もちろん、より多くの人に利用を促すためには、広告表示手段の内容も十分に検討したい。
本実施形態では、利用を促す言葉を立て看板１２３に記載している。「是非お試しください」が、それである。実施形態はこれに限らず、そのほかにも、「ご体感ください」「ご自由にお使いください」などが考えられる。一言、促す言葉があるだけで、抵抗感は非常に小さくなる。
【００３５】
あるいは、製品の特長について記載してもいい。本実施形態では、新しい技術を搭載したマッサージ機を想定しているため、立て看板１２３には「新技術！」と記載している。実施形態はこれに限らず、その他、例えば揉み解しに特徴があるなら「究極の揉みほぐし」、温めながらマッサージできるものなら「ぬくもりのマッサージ」など、製品の特長と絡めたキャッチコピーを記載することが考えられる。
【００３６】
また、広告表示手段には、製品の名前を記載してもよい。本実施形態では、立て看板１２３製品名「無重力マッサージ」という文字を示している。施設に設置されるマッサージ機１１は、お金を投入することで動かすことができる追加機能を備えた、商業施設専用の椅子型マッサージ機ではある。マッサージ機１１は、商業施設専用のものであるものの、マッサージ機１１を製造しているメーカーは、マッサージ機１１と同じ機能・性能を有した個人向けの椅子型マッサージ機を製造している場合が多い。利用者がマッサージ機１１を使用した結果、そのマッサージ機１１と同じ製品が欲しいと思った際、商品名を検索すれることができれば、試したマッサージ機と同じ機能・性能の個人向け製品を購入することができるようになる。
【００３７】
図面には示していないが、当然、写真やイラストなどを看板に記載しても良い。
【００３８】
次に、敷物について説明する。本実施形態では、３台のマッサージ機１１の下に、カーペット１２５が敷かれている。カーペット１２５は、３台のマッサージ機１１が余裕をもって配置できるくらいの大きさである。カーペット１２５を敷くことで、このマッサージ機１１が設置されている空間は、このマッサージ機１１のために用意された空間である、と認識させることができる。つまり、マッサージ機１１のために用意された空間に、マッサージ機１１が設置されている、という状況を作りだしている。これにより、マッサージ機１１がその空間に設置されていることに対する違和感を軽減し、来訪者に警戒心なく利用してもらうことができる。
【００３９】
また、本実施形態のカーペット１２５は、カーペット本体１２５ａと、ロゴ１２５ｂと、を有している。ロゴ１２５ｂを有することによって、看板と合わせて、より強力な宣伝になる。また、「マッサージ機１１を設置するその空間のためだけに用意したカーペット１２５」という印象を与えることができる。来訪者は、「ここまで演出に拘るほど施設管理者が力を入れているマッサージ機とは、どういうものなのか」というような心情になり、利用してみようという気持ちになる。
【００４０】
本実施形態では、マッサージ機１１の製品名を示したロゴを用いたが、実施形態はこれに限らない。例えば、写真や絵画を印刷した敷物であっても良いし、無地の敷物であってもよい。また、素材や大きさも自由にして良く、例えばゴム製素材の敷物であっても良いし、マッサージ機１台分の大きさの敷物を複数枚敷いても良い。設置する施設等の雰囲気や、来訪者の好みの傾向に合わせて、模様・文字や、素材、大きさは自由に選択すると良い。
【００４１】
＜実施形態２＞
次に実施形態２について説明する。実施形態２は、あまり広くない、銭湯のフロントに置くことを想定している。図３に示されるように、本実施形態のマッサージ機セット５は、コインロッカーＲの横の壁際に設置されている。
【００４２】
実施形態２のマッサージ機セット５は、１台のマッサージ機５１と、広告表示手段５２３と、小型観葉植物５２１と、を備えている。
【００４３】
銭湯のフロントに限らず、カラオケの一角など、マッサージ機５１のために広いスペースを確保できない施設等では、複数台設置するのは難しい。かといって、限られた台数を利用してもらいたいからと、利用を促す装飾品があまりに多いと、乱雑としていて近寄りがたくなってしまい、逆効果となる。そのため、狭いスペースに設置する場合には、装飾品５２の数が少ないマッサージ機セット５を利用するのが良い。
【００４４】
広告表示段５２３は、ポスターである。本実施形態のマッサージ機セット５が設置されるような狭い場所には、実施形態１で用いたような立て看板１２３は置くことができない。そのため、本実施形態では、場所をとらないポスターという方法で、来訪者に利用を促している。
広告表示手段（ポスター）５２３に表示する内容については、実施形態１と同じため、省略する。
【００４５】
マッサージ機５１、小型観葉植物５２１については、実施形態１と同じのため、説明を省略する。
【００４６】
装飾品は「利用を促すもの」又は「リラックス効果を狙えるもの」であれば何でもよい。例えば、小型観葉植物の代わりに、水生生物（熱帯魚・クラゲ・カニなど）の入った水槽や、おしゃれなアロマディフューザーを置いても良い。
【符号の説明】
【００４７】
１  椅子型マッサージ機セット（実施形態１）
１１  椅子型マッサージ機
１２  装飾品
１２１  観葉植物
１２１ａ  大型観葉植物
１２１ｂ  小型観葉植物
１２３  広告表示手段
１２５  カーペット
５  椅子型マッサージ機セット（実施形態２）
５１  椅子型マッサージ機
５２  装飾品
５２１  小型観葉植物
５２３  広告表示手段
Ｄ  マッサージ機とマッサージ機との間の距離
Ｒ  コインロッカー
【図１】
0003218592.tif 000003
【図２】
0003218592.tif 000004
【図３】
0003218592.tif 000005
【手続補正書】
【提出日】平成30年9月13日(2018.9.13)
【手続補正１】
【補正対象書類名】明細書
【補正対象項目名】０００２
【補正方法】変更
【補正の内容】
【０００２】
近年、椅子型マッサージ機の設置場所として、銭湯や温泉施設のみならず、ホテルや旅館等の宿泊施設、インターネットカフェやカラオケボックス、パチンコ店、スポーツクラブ等の娯楽施設、ショッピングセンター等の商業施設に至るまで、その範囲が広く拡大している。